(57)【特許請求の範囲】
【請求項１】
最上面に位置する第１操作部材と、
前記第１操作部材の下に配置され、前記第１操作部材の操作状態を検出する第１パターン基板と、
前記第１パターン基板を載置するための面を有する固定軸と、
前記第１パターン基板の下に配置され、前記固定軸を中心として回転可能であり、前記第１操作部材とは独立に操作可能な第２操作部材と、
前記第２操作部材を支持する面を有するとともに、機器の外形を形成するカバーと、
前記第２操作部材の操作状態を検出する第２パターン基板とを備え、
前記第２操作部材は、前記第１パターン基板および前記カバーで挟持することにより前記固定軸方向に位置規制され、
前記第２操作部材は、少なくとも一部が前記カバーより下方に突出する突出部と、前記突出部に設けられ前記第２パターン基板と摺動する接点とをさらに備え、
前記突出部は、前記カバーより下方に位置する前記第２パターン基板に前記接点が接するように構成されること
を特徴とする情報設定装置。
【請求項２】
請求項１に記載の情報設定装置において、
前記固定軸は、前記固定軸方向に垂直な略平面からなる基部をさらに備え、
前記基部は、前記カバーより下方に位置するように設けられ、
前記第２パターン基板は、前記基部に載置されていること
を特徴とする情報設定装置。
【請求項３】
請求項１または請求項２に記載の情報設定装置において、
前記第１操作部材は押しボタンであり、
前記第２操作部材は回転ダイヤルであること
を特徴とする情報設定装置。
【発明の詳細な説明】
【０００１】
【発明の属する技術分野】
本発明は、カメラ等の小型機器に最適な情報設定装置に関する。
【０００２】
【従来の技術】
カメラに使用される情報設定装置は、通常はカメラの上カバー上面に設置されるが、近年のカメラの高機能化が進む中で、情報設定部材もその数が増える傾向にある。
【０００３】
しかしながら、上カバー上面という限られたスペースの中で操作部材を増やすには、各操作部材の大きさ（面積）を小さくせざるを得ず、操作部材が操作し難くなるという不具合を生じていた。
【０００４】
【発明が解決しようとする課題】
ダイヤルは操作性を考慮すると、それなりの大きさが必要になってくるが、カメラの上面に大きなダイヤルを設置すると、ボタンなどの他の操作部材は小さくするか数を減らさざるを得ない。カメラのカバー内部にダイヤルを理め込むことも考えられるが、大きなダイヤルは内部のスペースを圧迫してしまうばかりでなく、ダイヤルの上面に印刷されている設定状態（表示）が見づらくなってしまう点で改善余地があった。
【０００５】
本発明は、上記の問題点に鑑みてなされたもので、ダイヤルとボタンの操作性を損なわず、それぞれが効率良く配置されたカメラの情報設定装置を提供することを目的とする。
【０００６】
【課題を解決するための手段】
請求項１に記載の情報設定装置は、最上面に位置する第１操作部材と、前記第１操作部材の下に配置され、前記第１操作部材の操作状態を検出する第１パターン基板と、前記第１パターン基板を載置するための面を有する固定軸と、前記第１パターン基板の下に配置され、前記固定軸を中心として回転可能であり、前記第１操作部材とは独立に操作可能な第２操作部材と、前記第２操作部材を支持する面を有するとともに、機器の外形を形成するカバーと、前記第２操作部材の操作状態を検出する第２パターン基板とを備え、前記第２操作部材は、前記第１パターン基板および前記カバーで挟持することにより前記固定軸方向に位置規制され、前記第２操作部材は、少なくとも一部が前記カバーより下方に突出する突出部と、前記突出部に設けられ前記第２パターン基板と摺動する接点とをさらに備え、前記突出部は、前記カバーより下方に位置する前記第２パターン基板に前記接点が接するように構成されることを特徴とする。
【０００７】
請求項２に記載の情報設定装置は、請求項１に記載の情報設定装置において、前記固定軸は、前記固定軸方向に垂直な略平面からなる基部をさらに備え、前記基部は、前記カバーより下方に位置するように設けられ、前記第２パターン基板は、前記基部に載置されていることを特徴とする。
【０００８】
請求項３に記載の情報設定装置は、請求項１または請求項２に記載の情報設定装置において、前記第１操作部材は押しボタンであり、前記第２操作部材は回転ダイヤルであることを特徴とする。
【００１０】
【発明の実施の形態】
以下、本発明の実施の形態を図面に基づいて説明する。
【００１１】
図１〜図４は、本発明による情報設定装置の一実施形態を示す斜視図および断面図である。
【００１２】
図１に示すように、給送モードダイヤル１は、上カバー２に設けられた土手２ａ上で摺接する。給送モードダイヤル１の上面には、給送モードの種類、即ち、シングルモード（Ｓ）、コンティニュアスモード（Ｃ）、サイレントモード（Ｃｓ）、セルフタイマーモード（時計マーク）、多重露出モードを示す表示（２重四角）が印刷されている（図２参照）。
【００１３】
図２に示すように、ダイヤル軸３は、上カバー２に設けられた穴２ｂから突出している。ダイヤル軸３は、３本のビス１０３で上カバー２に固定されている。接点４は、ダイヤル１の下面に固定されており、ダイヤル軸３に設置されている上カバーＦＰＣ５のパターン５ａを、ダイヤル１の回転に伴って摺動して、設定された給送モードを電気的に読み取っている。給送モードダイヤルロックボタン１１は、各給送モードポジションでのダイヤル１のロックを行う部材である。ロックボタン１１は、ロックボタンばね１２で常に上方向（図２）に付勢されており、この状態でボス１１ａが給送モードダイヤル１の各モードに対応するロック穴１ａ（図４参照）に嵌合することにより、ダイヤル１が各ポジションでロック状態となる。ロックボタン１１とロックボタンばね１２は、ロックボタン蓋１３によって上カバー２に２本のビス１１３で固定されている（図２参照）。
【００１４】
ボタン受け板６（図２参照）は、ダイヤル軸３の天面部３ａに設置された位置決めボス３ｂと対応するボス穴６ｂを有しており、受け板６は天面部３ａに載った状態でボス３ｂとボス穴６ｂとの嵌合で位置決めがなされる。ボス３ｂとの嵌合はＸＹ座標の位置決めで、スラスト方向はボタン部組固定ビス１００でボタン部組が固定された状態で決まる。
【００１５】
受け板６の上には、ボタン８の操作状態（オンオフ信号）を読み取り、信号ラインも兼ねるボタンＦＰＣ７が配置されている。ボタンＦＰＣ７の更に上方（図２）に、ボタン８およびボタンカバー９が載せられる。これらのボタン受け板６、ボタンＦＰＣ７、ボタン８、およびボタンカバー９は、ボタンカバー止めビス１０９によってボタン部に組み立てられる。さらに、このボタン部は、ボタン部組固定ビス１００（図３参照）によってダイヤル軸３の中央に設けられたビス穴３ｃおよび受け板６のボス穴６ｂを介して、ダイヤル軸３にネジ止めされる。
【００１６】
ボタン部は、給送モードダイヤル１に示されている現在の設定状態および両隣の設定状態の表示を覆っていないので、瞬時に現在の設定状態の把握および設定状態の変更ができる。ボタン８の操作状態（オンオフ信号）は、ボタンＦＰＣ７に設けられた信号ラインを介して伝達されるが、各信号ラインはボタンＦＰＣ７の腕部７ａ（図２および図３）上を通り、はんだブリッジ部７ｂまで伝わっている。腕部７ａは、受け板のボス穴６ｂおよびダイヤル軸３に設けられた信号ライン穴３ｄ（図２および図３）を通してカバー２の内部に導かれ、はんだブリッジ部７ｂは、上カバーＦＰＣ５と接続される。
【００１７】
なお、以上の実施形態では、給送モードダイヤル１を回転ダイヤルとして説明したが、スライドレバーで構成することもできる。
【００１８】
また、ボタン受け板６とボタンＦＰＣ７の代りに、リジット基板等の両者の機能を一体化したパターン基板を用いても良い。
【００１９】
また、ボタン８の操作と給送モードダイヤル１の操作とは関連が無い、即ち、同時に操作されることはないものとして説明したが、ボタン８を押しボタンで構成しているので、ボタン８を押しながら給送モードダイヤル１を操作することも、片方の手で実現できる。
【００２０】
また、図面にはボタン８が３個の場合を描いてあるが、４個以上であってもよい。
【００２１】
また、以上の実施形態では、カバー２とダイヤル軸３は別体であるものとして説明したが、一体で構成することもできる。
【００２２】
また、ボタン８は押しボタンとして説明したが、スライドスイッチやトグルスイッチであっても良い。
【００２３】
【発明の効果】
以上のように、本発明の情報設定装置によれば、ダイヤルとボタンの操作性を損なわず、それぞれが効率良く配置された情報設定装置を提供することが可能となる。
【図面の簡単な説明】
【図１】本発明による情報設定装置の一実施形態を示す斜視図である。
【図２】本発明による情報設定装置の一実施形態を示す斜視図である。
【図３】本発明による情報設定装置の一実施形態を示す斜視図である。
【図４】本発明による情報設定装置の一実施形態を示す断面図である。
【符号の説明】
１    給送モードダイヤル
１ａ  ロック穴
２    上カバー
２ａ  土手
２ｂ  穴
３    ダイヤル軸
３ａ  天面部
３ｂ  ボス
３ｃ  ビス穴
３ｄ  信号ライン穴
４    接点
５    上カバーＦＰＣ
５ａ  パターン
６    板
６ｂ  ボス穴
７    ボタンＦＰＣ
７ａ  腕部
７ｂ  はんだブリッジ部
８    ボタン
９    ボタンカバー
１１    給送モードダイヤルロックボタン
１１ａ  ボス
１２    ロックボタンばね
１３    ロックボタン蓋
１００    ボタン部組固定ビス
１０３    ビス
１０９    ボタンカバー止めビス
１１３    ビス
【図１】
0004186281.tif 000002
【図２】
0004186281.tif 000003
【図３】
0004186281.tif 000004
【図４】
0004186281.tif 000005